(57)【要約】【課題】役瓦及び地瓦の設置強度を維持して充分な耐風性能を付与すると共に、屋根の外観を向上することができる屋根材の設置方法を提供する。【解決手段】屋根面上の一方の端部に役瓦を設置した後、この役瓦の雄実の上に地瓦の雄実が形成されていない側の端縁が重なるように地瓦を設置する。屋根面上に設置された地瓦の雄実の上に他の地瓦の雄実が形成されていない側の端縁が重なるように他の地瓦を設置することで、複数の地瓦を順次設置する。屋根面上の他方の端部に設置される役瓦に最も近接する地瓦と前記役瓦との間に所定幅の間隔を空ける。役瓦と地瓦との間に、前記所定幅と同一幅Ｗ２の調整瓦５を、その両端縁がそれぞれ前記役瓦の雄実の上と前記地瓦の雄実の上に重なるように設置する。【選択図】図１
2010255384.tif 000002
【特許請求の範囲】
【請求項１】
屋根面上の軒棟方向と直交する方向の両端部に役瓦を設置すると共に前記屋根面上の両端部の役瓦の間に地瓦を設置する屋根材の設置方法であって、
前記役瓦として、この役瓦が設置される屋根面上の端部とは反対側の端部側へ向けて突出する雄実が形成された役瓦を使用し、
前記地瓦として、片側の側端縁のみに雄実が形成された地瓦を使用し、
屋根面上の一方の端部に役瓦を設置した後、この役瓦の雄実の上に地瓦の雄実が形成されていない側の端縁が重なるようにして屋根面上に地瓦を設置し、
屋根面上に設置された地瓦の雄実の上に他の地瓦の雄実が形成されていない側の端縁が重なるように他の地瓦を屋根面上に設置することで、複数の地瓦を屋根面上に順次設置し、
屋根面上の他方の端部に設置される役瓦に最も近接する地瓦と前記役瓦との間に所定幅の間隔を空け、
屋根面上の他方の端部に設置された役瓦と、この役瓦側に最も近接して設置された地瓦との間に、前記所定幅と同一幅を有する調整瓦を、その両端縁がそれぞれ前記役瓦の雄実の上と前記地瓦の雄実の上に重なるように屋根面上に設置することを特徴とする屋根材の設置方法。
【請求項２】
前記調整瓦を、屋根面上の他方の端部に設置された役瓦の雄実と、この役瓦側に最も近接して設置された地瓦の雄実とに接着することを特徴とする請求項１に記載の屋根材の設置方法。
【請求項３】
前記調整瓦として、その下面側に係合部を設える調整瓦を使用し、
屋根面上の他方の端部に設置された役瓦の雄実と、この役瓦側に最も近接して設置された地瓦の雄実との間に、前記係合部と係合する係合片を架設し、
前記調整瓦の設置時に、前記係合片と前記係合部とを係合することを特徴とする請求項１又は２に記載の屋根材の設置方法。
【発明の詳細な説明】
【技術分野】
【０００１】
本発明は、屋根面上の軒棟方向と直交する方向の両端部に役瓦を設置すると共にこの二つの役瓦の間に地瓦を設置する屋根材の設置方法に関する。
【背景技術】
【０００２】
従来、セメント系成形材料等を成形するなどして形成される屋根材１として、軒棟方向と直交する方向の一端に雄実４が形成されたものが用いられている（図２，３参照）。雄実４には必要に応じて軒棟方向の水切溝が形成される。
【０００３】
複数の屋根材１を建物の屋根面６上に設置する際には、まず一枚の屋根材１を屋根面６上に配置し、この屋根材１の棟側部分及び雄実４に釘等の固定具１４を打ち込んで、屋根面６上に設置する。次に、設置後の屋根材１の雄実４の上に他の屋根材１の端縁（雄実４とは反対側の端縁）が重なるようにして、この他の屋根材１を屋根面６上に配置し、この他の屋根材１に同様に釘等の固定具１４を打ち込んで、屋根面６上に設置する。この作業を順次おこなうことで、複数の屋根材１が屋根面６上に軒棟方向と直交する方向に設置される。続いて、この設置後の屋根材１の棟側に、前記と同様にして、複数の屋根材１を屋根面６上に軒棟方向と直交する方向に設置する。このとき棟側の屋根材１の軒側部分が、軒側の屋根材１の棟側部分の上に重なるようにする。この作業を繰り返すことで、屋根面６が複数の屋根材１で覆われる。
【０００４】
このように屋根材１が設置されると、屋根材１の雄実４に打ち込まれた固定具１４はこの屋根材１と隣り合う他の屋根材１の端縁で覆われると共に、屋根材１の棟側部分に打ち込まれた固定具１４はこの屋根材１の棟側に設置されている他の屋根材１の軒側部分で覆われて、外部からは見えなくなる。
【０００５】
このようにして屋根材１を設置する場合、屋根下地１６の上面を構成する平坦な屋根面６上には、その軒棟方向と直交する方向の両端部に、仕舞いのための屋根材１（以下、役瓦２といい、役瓦２以外の通常の屋根材１を地瓦３という。）が設置される。例えば図１３に示されるように、寄棟屋根等における屋根面６上の両端部（隅棟１０）には役瓦２として隅瓦１１が設置され、切妻屋根等における屋根面６上の両端部には役瓦２として袖瓦が設置される。
【０００６】
隅瓦１１は、隅棟１０と合致するように屈曲する屈曲部１３と、この屈曲部１３の両側に形成された瓦部１２とを有する。また、隅瓦１１には、一方の瓦部１２のみに、地瓦３と同様の雄実４が形成され、この雄実４は、隅瓦１１が屋根面６上に設置された場合に、地瓦３の雄実４と同じ方向に突出する。
【０００７】
隅瓦１１を使用して屋根材１を設置する場合には、通常はまず屋根面６上の両端部（隅棟１０）に隅瓦１１を設置した後、この隅瓦１１の間に地瓦３を設置する。この場合、まず一方の隅瓦１１の雄実４の上に地瓦３の端縁が重なるように地瓦３を設置し、続いて複数の地瓦３を順次設置する。そして、他方の隅瓦１１に隣接する地瓦３を設置する際には、この地瓦３の雄実４を他方の隅瓦１１の端縁の下に差し入れる。このため、この地瓦３の雄実４には固定具１４を打ち込むことはできなくなる。そこで、隅瓦１１を設置する際には、瓦部１２の中心付近などに固定具１４を打ち込むことで、この隅瓦１１の端縁の下に差し入れられた地瓦３の雄実４を充分に押さえ込み、これにより地瓦３の設置強度を充分に維持して地瓦３に充分な耐風性能を付与する必要があった。また、このようにして隅瓦１１に固定具１４を打ち込むことは、一方の側端縁にしか雄実４が形成されていない隅瓦１１の設置強度を維持するためにも必要であった。
【０００８】
しかし、隅瓦１１の端縁付近に固定具１４を打ち込むと、この固定具１４が屋根材１の設置後に外部に露出し、外観が悪くなるという問題がある。
【０００９】
尚、役瓦２として袖瓦が使用される場合も、隅瓦１１を使用する場合と同様の方法によって屋根材１が設置される。すなわち、屋根面６の一方の側端部に雄実４を有する袖瓦を設置すると共に、他方の側端部に雄実４を有さない袖瓦を設置し、この二つの袖瓦の間に地瓦３を設置する。この場合も隅瓦１１を使用する場合と同じ問題がある。
【００１０】
また、特許文献１に記載されているように、隅瓦１１の両側に雄実４を設けることも提案されている（図１４参照）。この場合、隅瓦１１の各雄実４に固定具１４を打ち込むことで、隅瓦１１の設置強度を維持することができる。また、他方の隅瓦１１に隣接する地瓦３を設置する際には、この地瓦３の雄実４側の部分１５を切除することで寸法調整をし、この寸法調整後の地瓦３を、その両端縁がそれぞれ前記他方の隅瓦１１の雄実４と、設置済みの地瓦３のうち他方の隅瓦１１に最も近接して設置されている地瓦３の雄実４の上に重なるようにして、設置することができる。この場合、隅瓦１１の各雄実４に固定具１４を打ち込むことで、隅瓦１１の充分な設置強度を確保することができると共に、この隅瓦１１の雄実４が地瓦３の端縁で覆われて固定具１４が屋根の外観に現れないようになる。
【００１１】
しかし、この特許文献１に開示されている従来技術の場合でも、寸法調整された地瓦３は雄実４を有さないため、雄実４に固定具１４を打ち込むなどして屋根下地１６に固定するようなことはできず、このため特に寸法調整後の地瓦３の幅寸法が大きい場合には、その棟側部分に固着具１４を打ち込むなどしても設置強度が不足し、充分な耐風性能が発揮されないという問題もある。
【先行技術文献】
【特許文献】
【００１２】
【特許文献１】特開平７−３００９４７号公報
【発明の概要】
【発明が解決しようとする課題】
【００１３】
本発明は上記の点に鑑みてなされたものであり、役瓦及び地瓦の設置強度を維持して充分な耐風性能を付与すると共に、屋根の外観を向上することができる屋根材の設置方法を提供することを目的とする。
【課題を解決するための手段】
【００１４】
本発明は、屋根面６上の軒棟方向と直交する方向の両端部に役瓦２を設置すると共に前記屋根面６上の両端部の役瓦２の間に地瓦３を設置する屋根材１の設置方法に関する。前記役瓦２として、この役瓦２が設置される屋根面６上の端部とは反対側の端部側へ向けて突出する雄実４が形成された役瓦２を使用し、前記地瓦３として、片側の側端縁のみに雄実４が形成された地瓦３を使用する。屋根材１の設置時には、屋根面６上の一方の端部に役瓦２を設置した後、この役瓦２の雄実４の上に地瓦３の雄実４が形成されていない側の端縁が重なるようにして屋根面６上に地瓦３を設置する。屋根面６上に設置された地瓦３の雄実４の上に他の地瓦３の雄実４が形成されていない側の端縁が重なるように他の地瓦３を屋根面６上に設置することで、複数の地瓦３を屋根面６上に順次設置する。屋根面６上の他方の端部に設置される役瓦２に最も近接する地瓦３と前記役瓦２との間に所定幅Ｗ１の間隔を空ける。屋根面６上の他方の端部に設置された役瓦２と、この役瓦２側に最も近接して設置された地瓦３との間に、前記所定幅Ｗ１と同一幅Ｗ２を有する調整瓦５を、その両端縁がそれぞれ前記役瓦２の雄実４の上と前記地瓦３の雄実４の上に重なるように屋根面６上に設置する。
【００１５】
前記屋根面６とは、屋根下地の上面を構成する平坦な面をいう。前記役瓦２とは、屋根面６上の軒棟方向と直交する方向の両端部に設置される、仕舞いのための屋根材１であり、隅瓦１１と袖瓦が含まれる。前記地瓦３とは、屋根面６における両端の役瓦２の間に設置される通常の屋根材１をいう。
【００１６】
このため、役瓦２の設置に雄実４を利用することができ、役瓦２の設置強度を維持すると共に、役瓦２を固定するための固定具１４等が屋根の外観に現れないようにすることができる。また、前記他方の役瓦２に最も近接して設置される地瓦３には雄実４が残存しているので、この地瓦３の設置に雄実４を利用することができ、この地瓦３の設置強度を維持すると共に、地瓦３を固定するための固定具１４が屋根の外観に現れないようにすることができる。また、一定の幅Ｗ２を有する調整瓦５を使用するため、雄実４を利用することなく充分な設置強度が維持されるように調整瓦５の幅Ｗ２を設定することが容易となり、しかも屋根面６の端縁に沿って同一寸法の調整瓦５が並ぶこととなって、屋根の外観が向上する。
【００１７】
本発明においては、前記調整瓦５を、屋根面６上の他方の端部に設置された役瓦２の雄実４と、この役瓦２側に最も近接して設置された地瓦３の雄実４とに接着することが好ましい。
【００１８】
この場合、屋根の外観に影響を与えることなく、接着によって、調整瓦５を屋根面６上に高い設置強度で設置することができるようになる。
【００１９】
本発明においては、前記調整瓦５として、その下面側に係合部８を備える調整瓦５を使用し、屋根面６上の他方の端部に設置された役瓦２の雄実４と、この役瓦２側に最も近接して設置された地瓦３の雄実４との間に、前記係合部８と係合する係合片９を架設し、前記調整瓦５の設置時に、前記係合片９と前記係合部８とを係合することも好ましい。
【００２０】
この場合、屋根の外観に影響を与えることなく、前記係合片９と前記係合部８との係合によって、調整瓦５を屋根面６上に高い設置強度で設置することができるようになる。
【発明の効果】
【００２１】
本発明によれば、屋根面上に設置される全ての役瓦及び地瓦を、雄実を利用して屋根下地に固定することができ、役瓦及び地瓦の設置強度を充分に高く維持することができ、また調整瓦の設置強度も充分に高く維持することができて、屋根材に充分な耐風性能を付与することができるようになる。しかも、役瓦や地瓦を固定するための固定具が屋根の外観に現れないようにすることができると共に、屋根面の端縁に沿って同一寸法の調整瓦が並ぶため、屋根の外観を向上することができる。
【図面の簡単な説明】
【００２２】
【図１】本発明の実施の形態の一例における調整瓦を示すものであり、（ａ）は斜視図、（ｂ）は他の斜視図、（ｃ）は（ａ）のＡ−Ａ断面図、（ｄ）は（ａ）のＢ−Ｂ断面図である。
【図２】本発明の実施の形態の一例における地瓦を示すものであり、（ａ）は斜視図、（ｂ）は他の斜視図である。
【図３】同上の地瓦を示すものであり、（ａ）は図２（ａ）のＡ−Ａ断面図、（ｂ）は図２（ａ）のＢ−Ｂ断面図、（ｃ）は図２（ａ）のＣ−Ｃ断面図である。
【図４】本発明の実施の形態の一例における隅瓦を示す平面図である。
【図５】本発明の実施の形態の一例における屋根材の設置工程を示す斜視図である。
【図６】図５に示される工程に続く、屋根材の設置工程を示す斜視図である。
【図７】図６に示される工程に続く、屋根材の設置工程を示す斜視図である。
【図８】図７に示される工程に続く、屋根材の設置工程を示す斜視図である。
【図９】図８に示される工程に続く、屋根材の設置工程を示す斜視図である。
【図１０】（ａ）及び（ｂ）は図９の部分断面図である。
【図１１】図９に示される工程に続く、屋根材の設置工程を示す斜視図である。
【図１２】図１１に示される工程に続く、屋根材の設置工程を示す斜視図である。
【図１３】従来技術の一例を示す平面図である。
【図１４】従来技術の他例を示す平面図である。
【発明を実施するための形態】
【００２３】
以下、本発明の実施形態について説明する。本実施形態では、役瓦２として隅瓦１１を使用する。すなわち、本実施形態では、屋根材１として地瓦３、隅瓦１１及び調整瓦５を使用する。
【００２４】
図１に本実施形態で使用される調整瓦５を示す。この調整瓦５は、後述する地瓦３と同じ前後方向寸法（軒棟方向寸法）を有すると共に、この地瓦３よりも小さい所定の幅Ｗ２（屋根の軒棟方向と直交する方向の幅寸法）を有する。この調整瓦５の幅Ｗ２は、１００〜３００ｍｍの範囲であることが好ましい。また、調整瓦５の前端縁（軒側端縁）には下方に垂下する垂下部２０が形成されていると共に、後端縁（棟側端縁）には上方に突出する立ち上り部２１が形成されている。この調整瓦５には、後述する地瓦３や隅瓦１１に形成されているような雄実５は形成されていない。また、この調整瓦５は、下面側に係合部８を備える。この係合部８は、調整瓦５の下面から下方に延出する支持部１８と、この支持部１８から後方（棟側方向）に延出する引掛部１９とを有する。この係合部８は、例えば調整瓦５とは別部材として金属材などから形成され、この係合部８が調整瓦５の下面に取り付けられる。また調整瓦５の形成時に切削加工などによって調整瓦５に一体に形成されてもよい。また、図示はされていないが、この調整瓦５には、その棟側寄りの部分に釘等の固定具１４を打ち込むための固定用孔が形成されていてもよい。
【００２５】
図２，３に本実施形態で使用される地瓦３の構成を示す。この地瓦３は平面視矩形状に形成され、全体として平板状の形状を有する。この地瓦３の前端縁（軒側端縁）には、調整瓦５と同様に下方に垂下する垂下部２０が形成されている。また地瓦３の後端縁（棟側端縁）には、調整瓦５と同様に上方に突出する立ち上り部２１が形成されている。また地瓦３の一方の側端縁には、この地瓦３の上面よりも下方の位置から外側方（屋根の軒棟方向と直交する方向）に向けて突出する雄実４が形成されている。また地瓦３の下面には、下方に突出する複数の支持脚２２が形成されている。地瓦３の下面は、その高さ位置が、支持脚２２が形成されている位置を除き、雄実４の上面の高さ位置と同じ又はそれよりも高い位置となるように形成されている。この地瓦３の上面は平坦であってもよいが、意匠性付与等の目的で凹凸に形成されていてもよい。また、図示はされていないが、この地瓦３には、その雄実４に釘等の固定具１４を打ち込むための固定用孔が形成されていてもよく、またこの地瓦３の棟側寄りの部分にも固定用孔を形成してもよい。また、雄実４には必要に応じて軒棟方向の水切溝が形成されていてもよい。
【００２６】
図４に本実施形態で使用される隅瓦１１の構成を示す。この隅瓦１１には、この隅瓦１１が設置される屋根の隅棟１０と合致するように屈曲する屈曲部１３が形成され、この屈曲部１３の両側に瓦部１２が形成されている。各瓦部１２は、屋根の隅棟１０の両側の各屋根面６の軒棟方向と直交する方向に突出し、平面視略台形の形状を有している。瓦部１２の、屋根の軒棟方向と直交する方向に沿った方向の先端縁には、雄実４が形成されている。この雄実４は、瓦部１２の上面よりも下方の位置から、屋根の軒棟方向と直交する方向に突出している。また、図示はされていないが、この隅瓦１１には、その各雄実４に釘等の固定具１４を打ち込むための固定用孔が形成されていてもよく、またこの隅瓦１１の棟側寄りの部分にも固定用孔が形成されていてもよい。また、雄実４には必要に応じて軒棟方向の水切溝が形成されていてもよい。
【００２７】
これらの屋根材１は適宜の材質で形成されるが、例えばセメント系成形材料を成形し、養生硬化することで形成される。セメント系成形材料としては、特にセメントと水とスチレンモノマー等の油性成分とを主成分とするセメント含有逆エマルション組成物からなるものを用いることが好ましい。このようなセメント系成形材料は保形性が高く、立体的な形状を有する屋根材１の作製に好適に用いられる。
【００２８】
これらの屋根材１の設置方法について、図５乃至図１２を参照して説明する。尚、前記各図においては、屋根材１の形状は簡略化されて記載されている。
【００２９】
まず、図５に示すように、寄棟屋根における野地板や防水シートなどで構成される屋根下地１６において、この屋根下地１６の最も軒側で、この屋根下地１６の各隅棟１０に、隅瓦１１を設置する。このとき隅瓦１１の両側の各雄実４の上方から釘等の固定具１４を打ち込み、或いは更にこの隅瓦１１の棟側寄りの部分の上方から釘等の固定具１４を打ち込むことで、隅瓦１１を屋根下地１６に強固に固定することができる。
【００３０】
次に、図６に示すように、屋根下地１６における一つの屋根面６において、この屋根面６上の一方の端部に設置された隅瓦１１の雄実４の上に、地瓦３の雄実４が形成されていない側の側端縁が重なるようにして、屋根面６上に地瓦３を設置する。このとき地瓦３の雄実４の上方から釘等の固定具１４を打ち込み、或いは更にこの地瓦３の棟側寄りの部分の上方から釘等の固定具１４を打ち込むことで、地瓦３を屋根下地１６に強固に固定することができる。また、隅棟１０の雄実４に打ち込まれた固定具１４は、地瓦３の側端縁に覆われて隠蔽される。
【００３１】
次に、屋根面６上に設置された地瓦３の雄実４の上に、他の地瓦３の雄実４が形成されていない側の側端縁が重なるように、他の地瓦３を屋根面６上に設置する。このときも、地瓦３の雄実４の上方から釘等の固定具１４を打ち込み、或いは更にこの地瓦３の棟側寄りの部分の上方から釘等の固定具１４を打ち込むことで、地瓦３を屋根下地１６に強固に固定することができる。また、先に設置されている地瓦３の雄実４に打ち込まれた固定具１４は、後に設置された地瓦３の側端縁に覆われて隠蔽される。この作業を繰り返すことで、図７に示すように、複数の地瓦３を屋根面６上に軒棟方向と直交する方向に順次設置する。
【００３２】
次に、屋根面６上の他方の端部に設置される隅瓦１１に最も近接する地瓦３を屋根面６上に設置する際には、図７に示すように、予めこの地瓦３から、雄実４が形成されていない側端縁側の部分７を切除することで、この地瓦３の幅寸法を調整し、この地瓦３と前記隅瓦１１との間に所定幅Ｗ１の間隔を空けるようにする。この地瓦３を、他の地瓦３と同様にして屋根面６上に設置する。
【００３３】
地瓦３から、雄実４が形成されていない側端縁側の部分７を切除する際には、寸法調整後の地瓦３の切断面に沿って、この地瓦３の、雄実４が形成されていない新たな側端縁が形成される。しかし、上記のとおり、地瓦３の下面は、その高さ位置が、支持脚２２が形成されている位置を除き、雄実４の上面の高さ位置と同じ又はそれよりも高い位置となるように形成されているため、地瓦３に新たに形成された側端縁の下面も、雄実４の上面の高さ位置と同じ又はそれよりも高い位置となる。このため、寸法調整後の地瓦３を屋根面６上に設置する際にも、他の地瓦３の場合と同様に、既に屋根面６上に設置されている地瓦３の雄実４の上に、寸法調整後の地瓦３の雄実４が形成されていない側の側端縁が重なるように、この寸法調整後の地瓦３を屋根面６上に設置することができる。尚、寸法調整後の地瓦３の支持脚２２が、既に屋根面６上に設置されている地瓦３の雄実４に当たって邪魔になるような場合には、この支持脚２２を削ったり切除したりすればよい。
【００３４】
このようにして、図８に示すように屋根面６上の他方の端部に設置される隅瓦１１に最も近接する地瓦３を設置した後、この隅瓦１１と地瓦３との間に調整瓦５を設置する。このとき、図８に示すように、まず予め隅瓦１１の雄実４と、地瓦３の雄実４との間に、係合片９を架設する。係合片９は金属等で薄板状に形成される。この係合片９の両端を隅瓦１１と地瓦３の各雄実４上に配置し、この状態で係合片９の各端部に釘等の固定具１４を打ち込むことで、係合片９を前記各雄実４間に架設することができる。この係合片９を固定するための固定具１４は、同時に隅瓦１１と地瓦３を屋根下地１６に固定する機能も果たす。
【００３５】
次に、図９に示すように、隅瓦１１と地瓦３との間に調整瓦５を、その両端縁がそれぞれ隅瓦１１の雄実４の上と地瓦３の雄実４の上に重なるようにして、屋根面６上に設置する。このとき、予め隅瓦１１と地瓦３の各雄実４の上面に接着剤を塗布した後、図１０に示すように調整瓦５の係合部８を前記係合片９に係合させながら、この調整瓦５を隅瓦１１と地瓦３との間に、この隅瓦１１と地瓦３の各雄実４の上に重なるように配置する。この状態で、調整瓦５の棟側寄りの部分の上方から釘等の固定具１４を打ち込むことで、調整瓦５を屋根下地１６に固定することができる。
【００３６】
この調整瓦５には雄実４が形成されていないため、雄実４を利用して調整瓦５を設置することはできないが、その幅Ｗ２は予め一定の幅寸法に定められるため、雄実４を利用することなく、例えばこの調整瓦５の棟側部分の固定具１４を打ち込むだけで、充分な設置強度が維持されるように、調整瓦５の幅寸法を設定することが容易となる。また、本実施形態では調整瓦５の係合部８と、隅瓦１１と地瓦３の各雄実４間に架設された係合片９とが係合しているため、調整瓦５の設置強度が更に高くなっている。また、調整瓦５が隅瓦１１と地瓦３の各雄実４に接着剤で接着されることで、調整瓦５の設置強度が更に高くなっている。尚、調整瓦５の設置強度が充分に維持されるならば、調整瓦５を隅瓦１１と地瓦３の各雄実４と接着しなくてもよく、また調整瓦５の係合部８を隅瓦１１と地瓦３の各雄実４間に架設された係合片９とを係合するようにしなくてもよい。
【００３７】
このように一つの屋根面６について、その最も軒側に屋根材１を設置したら、図１１に示すように、他の屋根面６についても同様にして、その最も軒側に屋根材１を設置する。
【００３８】
次に、図１２に示すように、各屋根面６について、設置後の屋根材１の棟側に、前記と同様にして、複数の屋根材１を屋根面６上に軒棟方向と直交する方向に設置する。このとき棟側の屋根材１の軒側部分が、軒側の屋根材１の棟側部分の上に重なるようにする。このため、各屋根材１の棟側部分に打ち込まれた固定具１４が、この屋根材１の棟側に設置される屋根材１に覆われて隠蔽される。この作業を繰り返すことで、各屋根面６が複数の屋根材１で覆われる。
【００３９】
このようにして屋根に屋根材１を設置すると、調整瓦５を使用することで、屋根材１を設置する際の寸法誤差の調整を容易におこなうことができる。また、既に述べたとおり隅瓦１１、地瓦３及び調整瓦５は全て屋根面６に対して高い設置強度で設置されるようになると共に、これらの各屋根材１を固定するための固定具１４が屋根の外観に現れないようにすることができる。
【００４０】
更に、図１３に示す従来技術では、複数の地瓦３を一方の隅瓦１１側から他方の隅瓦１１側へ順次設置する場合、他方の隅瓦１１に隣接する地瓦３を設置する際には、寸法誤差調整等のためにこの地瓦３の幅寸法を変更しなければならず、このため屋根面６の側端縁に沿って寸法の異なる地瓦３が並んでしまい、外観が悪くなるという問題があり、また、図１４に示す従来技術では、同様に複数の地瓦３を一方の隅瓦１１側から他方の隅瓦１１側へ順次設置する場合、他方の隅瓦１１に隣接する地瓦３は寸法誤差調整等のために幅寸法が変更されるため、屋根面６の側端縁に沿って寸法の異なる地瓦３が並んでしまい、依然として外観が悪くなるという問題があるが、本実施形態では、屋根面６の端縁（隅棟１０）に沿って同一寸法の調整瓦５が並ぶこととなってすっきりした外観が現れるようになり、屋根材１の寸法誤差の調整をするにもかかわらず、屋根の外観が向上するものである。
【００４１】
以上、役瓦２として隅瓦１１を使用する場合の一実施形態について説明したが、役瓦２として袖瓦を使用して切妻屋根に屋根材１を設置する場合にも、本実施形態と同様にして屋根材１を設置することができる。この場合、袖瓦としては、この袖瓦が設置される屋根面６上の端部（妻部）とは反対側の端部側へ向けて突出する雄実４が形成された袖瓦が使用される。
【００４２】
また、本実施形態では、まず屋根面６の両側の隅瓦１１を設置した後に、この隅瓦１１の間に地瓦３を設置しているが、屋根面６の他端側に設置される隅瓦１１は、この隅瓦１１に最も近接する地瓦３を設置するまでに設置しておけばよい。
【００４３】
また、本実施形態では、屋根面６上の他方の端部に設置される役瓦２に最も近接する地瓦３と前記役瓦２との間に所定幅Ｗ１の間隔を空ける際に、前記役瓦２に最も近接する地瓦３を屋根面６上に設置するにあたって、この地瓦３から雄実４が形成されていない端縁側の部分７を切除することで、この地瓦３の幅を調整しているが、このような切除による幅調整をおこなう地瓦３は、前記役瓦２に最も近接する地瓦３のみに限られない。また、切除による幅調整をおこなう地瓦３の枚数も一枚には限られない。要は二つの役瓦２の間に設置される複数の地瓦３のうち少なくとも一つの地瓦３を切除することで、前記所定幅Ｗ１の間隔を形成するようにすればよい。例えば一枚の地瓦３を切除する場合にこの地瓦３のかなり大きな部分７を切除しなければならなくなる場合には、複数枚の地瓦３（例えば前記役瓦２に最も近接する地瓦３と、これに順次隣接する地瓦３）を切除することで、役瓦２に最も近接する地瓦３と前記役瓦２との間に所定幅Ｗ１の間隔をあけるようにしてもよい。
【００４４】
また、隅瓦１１と地瓦３の各雄実４間に架設される係合片９と、調整瓦５が有する係合部８の各形状は、両者が互いに係合し合う形状であれば本実施形態のものに限られない。例えば係合片９を金属線材等の線条体で形成してもよい。また、係合部８は、例えば引掛部１９が支持部１８から前方（軒側方向）に延出する形状であってもよい。
【００４５】
［参考形態］
上記実施形態では、調整瓦５を設置する際に、隅瓦１１と地瓦３の各雄実４間に架設される係合片９と、調整瓦５が有する係合部８とを係合して調整瓦５の設置強度を向上しているが、この係合片９と係合部８の係合の利用は、調整瓦５を設置する場合に限らず、間隔をあけて設置されている二つの屋根材１の間に更に設置される屋根材１の設置強度の向上のために広く適用することができる。
【００４６】
すなわち、本参考形態では、屋根面６上に一端に雄実４が形成された屋根材１ａと、他端に雄実４が形成された屋根材１ｂとを、前記雄実４同士が対向するように間隔をあけて設置し、この屋根材１ａ，１ｂの前記雄実４間に、係合片９を架設し、この屋根材１ａ，１ｂの間に、裏面側に係合部８を備える屋根材１ｃを、その両端縁がそれぞれ設置済みの各屋根材１ａ，１ｂの各雄実４の上に重なるようにすると共に前記係合片９と前記係合部８とを係合して、屋根面６上に設置するものである。
【００４７】
上記実施形態では、屋根面６上に一端に雄実４が形成された屋根材１ａと、他端に雄実４が形成された屋根材１ｂとは、それぞれ隅瓦１１と、この隅瓦１１に所定幅Ｗ１の間隔をあけて設置される地瓦３に相当するが、本参考形態では、屋根材１ａ，１ｂの組み合わせは、前記のような隅瓦１１と地瓦３の組み合わせには限られない。例えば、上記実施形態において、前記地瓦３の寸法調整がされておらず、この地瓦３と隅瓦１１との間の間隔の幅が調整されていなくてもよい。
【００４８】
また、上記実施形態では、係合部８を備える屋根材１ｃは、調整瓦５に相当するが、本参考形態では、屋根材１ｃの構成はこのような調整瓦５には限られない。例えば調整瓦５に代えて、地瓦３の雄実４が形成されている側の部分を切除することで、上記設置済みの隅瓦１１（屋根材１ａ）と地瓦３（屋根材１ｂ）との間の間隔の幅と同一幅に調整された屋根材１ｃを用いてもよい。
【００４９】
本参考形態では、例えば上記実施形態の場合のように設置済みの屋根材１ａ，１ｂの間に更に屋根材１ｃを設置する必要があって、且つ前記設置済みの屋根材１ａ，１ｂの端縁にお互いに対向し合う雄実が形成されている場合であっても、係合片９と係合部８との係合によって屋根材１ｃの設置強度が向上し、屋根材１ｃの耐風性能を向上することができる。また、係合部８と係合片９とは屋根の外観に現れないため、屋根の外観を悪化させることなく、屋根材１ｃの設置強度を向上することができる。
【符号の説明】
【００５０】
１    屋根材
２    役瓦
３    地瓦
４    雄実
５    調整瓦
６    屋根面
７    部分
８    係合部
９    係合片
Ｗ１  幅
Ｗ２  幅
【図１】
2010255384.tif 000003
【図２】
2010255384.tif 000004
【図３】
2010255384.tif 000005
【図４】
2010255384.tif 000006
【図５】
2010255384.tif 000007
【図６】
2010255384.tif 000008
【図７】
2010255384.tif 000009
【図８】
2010255384.tif 000010
【図９】
2010255384.tif 000011
【図１０】
2010255384.tif 000012
【図１１】
2010255384.tif 000013
【図１２】
2010255384.tif 000014
【図１３】
2010255384.tif 000015
【図１４】
2010255384.tif 000016